(57)【特許請求の範囲】
【請求項１】
前面に閂杆の挿通孔を有する閂杆保持片を起立させ、裏面に添わせた他方の取付け金具と共にホークに固定される取付け金具と、前後面と上面を開放し、両側壁の上縁に内側に折り曲げたガイド凸条を具えて、上記取付け金具内に嵌合するケース部材と、前端に、上記取付け金具と共通の止めねじ孔を具えたばね受部を起立させ、底面に施錠カム溝を設けて、上記ケース部材内に嵌合する中板と、両側面に具えたガイド溝を上記ケース部材のガイド凸条に嵌合させるとともに、前記中板のばね受部との間にコイル形の復元ばねを介在させて、ケース部材に対して摺動自在に備えた閂杆と、後端面を開口して中空に形成された上記閂杆の後端部内に装着された施錠機構と、閂杆の後端部内に回転自在に装着され、施錠機構の内端部に突出する角軸を嵌合し、軸線に直交させて装着したガイドピンを前記中板の施錠カム溝と係合させて上記閂杆の摺動行程を規制する回転レバーとを備えてなる自転車用錠。
【発明の詳細な説明】
【０００１】
【産業上の利用分野】
本発明は、箱錠型の自転車用錠に関し、直杆形の閂杆をケース部材の上面に露呈させることによって、ケース部材を軽量化するとともに、新しい感覚を具えた自転車用錠を形成するようにしたことを特長とするものである。
【０００２】
【従来の技術】
箱錠型の自転車用錠は、その名称に表わされるように、直杆形の閂杆を貫通させて収容するケース部材に、四側面と上面を閉塞した箱形のものが使用されている。例えば実公平３−５５７２号公報または実公平５−３１１７３号公報、実開昭５４−７７７９２号公報。
【０００３】
【発明が解決しようとする課題】
上記先願の錠前は、箱形のケース部材内に多数の部材を組み込むようにしていたので、組立に手数を要してコスト高になる製作上の問題があり、かつ、形状が大同小異で外観がほぼ一定化する欠点があった。
【０００４】
このようなことから本発明が解決しようとする課題は、主として従来の箱錠の欠点であるケース部材を改良して箱錠形の自転車用錠を組み立て易くし、外観形状を一新できるようにすることにある。
【０００５】
【課題を解決するための手段】
上記の課題を解決する手段として本発明は、前面に閂杆の挿通孔を有する閂杆保持片を起立させ、裏面に添わせた他方の取付け金具と共にホークに固定される取付け金具と、前後面と上面を開放し、両側壁の上縁に内側に折り曲げたガイド凸条を具えて、上記取付け金具内に嵌合するケース部材と、前端に、上記取付け金具と共通の止めねじ孔を具えたばね受部を起立させ、底面に施錠カム溝を設けて、上記ケース部材内に嵌合する中板と、両側面に具えたガイド溝を上記ケース部材のガイド凸条に嵌合させるとともに、前記中板のばね受部との間にコイル形の復元ばねを介在させて、ケース部材に対して摺動自在に備えた閂杆と、後端面を開口して中空に形成された上記閂杆の後端部内に装着された施錠機構と、閂杆の後端部内に回転自在に装着され、施錠機構の内端部に突出する角軸を嵌合し、軸線に直交させて装着したガイドピンを前記中板の施錠カム溝と係合させて上記閂杆の摺動行程を規制する回転レバーとを備えてなる自転車用錠を提供するものである。
【０００６】
上記のように構成した本発明錠は、閂杆のほぼ半分の高さが上面を開放したケース部材の上に露出して施錠、開錠に際して摺動するので、従来のこの種の錠前にない外観を呈し、使用者の注目をひく新しい形状を具えた自転車用錠を得ることができる。
【０００７】
また、本発明自転車用錠は、例えば、取付け金具、ケース部材、中板を下から同順に重ね合わせ、ケース部材の開放上面を利用して中板の上に復元ばねを載せるとともに、ケース部材の後方からガイド凸条にガイド溝を嵌め合わせつつ、回転レバー、ガイドピン、施錠機構を後端部内に組み込んだ閂杆を嵌装し、中板の施錠カム溝にガイドピンを係合させることによって、錠前の主たる部分の組立を完了することができ、従来の箱錠に比べて組立の手数が省け、組立操作が簡単容易になる。
以上のようにして本発明は、この種の自転車用錠のコストダウンをしたものである。
【０００８】
【実施例】
以下に本発明の実施例を図面について説明する。
図１は、実施例の分解斜視図、図２は、実施例の施錠状態を示す一部切欠側面図、図３は、開錠状態を示す側面図である。
【０００９】
図において、１は、前面に閂杆の挿通孔２を有する閂杆保持片３を起立させて、図１中に虚線で示すように裏面に添わせた他方の取付け金具２５との間に自転車のホークを挟んで固定される取付け金具、４は、上縁の両側を適宜の幅で内向きに折り曲げて左右一対のガイド凸条５を形成し、上面を開放して取付け金具１内に嵌合するケース部材、６は、前端に、取付け金具１と共通の止めねじ孔７を具えたばね受部８を起立させ、底面に施錠カム溝９を設けて、ケース部材４内に嵌合する中板である。
【００１０】
１０は、両側面に具えたガイド溝１１をケース部材３のガイド凸条５に嵌合させるとともに、中板６のばね受部８との間にコイル形の復元ばね１２を介在させて、ケース部材３に対して摺動自在に装着される閂杆、１３は、端面（右端面）を開口して中空に形成された閂杆１０の後端部１４内に装着されたシリンダー錠型の施錠機構、１５は、閂杆１０の後端部１４内に回転自在に装着され、施錠機構１３の内端部に突出する角軸１６を嵌合し、軸線に直交させて装着したガイドピン１７を中板６の施錠カム溝９と係合させて、閂杆１０の摺動行程を規制する回転レバーである。
なお図中、１５’はガイドピン１７を貫通させるよう回転レバー１５の前端に形成した半割り形の軸、２２はこの軸１５’を覆うように備えた半円形のカバー部材である。
【００１１】
図１に示すように、上記の部品からなるこの自転車用錠は、取付け金具１の上にケース部材４を重ね、取付け金具１の後端の掛止爪１８を上面に係合させて該ケース部材４を固定する。次いで、中板６を上から重ね、前端のばね受部８を取付け金具１の閂杆保持部３に添わせ、両部３、８に共通して設けた止めねじ孔７に止めねじ１９をねじ込み、前端部分を互いに固定するともに、中板６の後端部両側に設けた突出部２０を取付け金具１の後端縁に形成した切欠部２１に掛止させることによって、取付け金具１、ケース部材３、中板６の３部材を一体化する。
【００１２】
次いで、上面を開放しているケース部材４の前部に復元ばね１２を挿入し、前端（図示左手）を中板６のばね受部８に接しさせる一方、図２に示すように、中空の後端部１４内に、前端部にガイドピン１７と半円形のカバー部材２２を装着した回転レバー１５と、施錠機構１３を組み込んだ閂杆１０を両側のガイド溝１１をケース部材側のガイド凸条５に係合させながら中板６上に滑り込ませる。
【００１３】
上記のようにしてケース部材４内に閂杆１０が装着されると、回転レバー１５の軸１５’を挿通しているガイドピン１７と、中板６の施錠カム溝９とが係合し、閂杆１０側に復元ばね１２の付勢が作用して、ガイドピン１７が施錠カム溝９の後端部に達するまで閂杆１０を後退させ、図３に示すように開錠状態に保持される。なお、摘み部分を器体外に突出させたキー２３は、このとき鍵穴内に掛止され抜脱を不能にしている。
【００１４】
この実施例において、施錠機構１３には従来公知のシリンダー錠機構が用いられ、図示省略のタンブラーと係合し角軸１６を先端に連結したシリンダー部分は、外側のケース主体内に回転を可能にして嵌合し、ケース主体はシリンダー部分の端面の鍵穴を臨出させて閂杆１０の後端部内に固定され、抜け止めされている。
【００１５】
図３に示す開錠状態から閂杆１０を図示左へスライドさせると、ガイドピン１７は前進し、施錠ガイド溝１１の前端部に達しさせておいてキー２３を回転させると、該端部に横に設けた施錠部２４の奥に形成した施錠位置に掛止させる。ついで、回転後のキー２３を抜き取ることによってこの自転車用錠の施錠操作が完了する。
なお開錠操作は、キー２３を差し込んで施錠操作時とは逆に回転することによって、施錠部２４の奥からガイドピン１７を外し、復元ばね１２の付勢によりガイドピン１７とともに閂杆１０を開錠位置に復帰させる。
【００１６】
上記のように構成したこの自転車用錠は、図示のように、閂杆１０が側面に具えたガイド溝１１から上の部分を器体外に表わしていて従来のこの種の箱錠とは外観に大きな差異を生ずるので、需要者の注意を十分に惹く形状を呈したものとなる。
【００１７】
【発明の効果】
前記のように構成され、上記のように用いられるようにした本発明によれば、各部の組立が容易になってこの種の自転車用錠のコストダウンができる。また、外観が需要者の注意を惹く形状になっていて購入意欲が喚起されるなどの優れた効果がある。
【図面の簡単な説明】
【図１】図１は、実施例の分解斜視図
【図２】図２は、施錠状態を示す一部切欠側面図
【図３】図３は、開錠状態を示す側面図である。
【符号の説明】
１  取付け金具
２  挿通孔
３  閂杆保持部
４  ケース部材
５  ガイド凸条
６  中板
７  止めねじ
８  ばね受部
９  施錠カム溝
１０  閂杆
１１  ガイド溝
１２  復元ばね
１３  施錠機構
１４  後端部
１５  回転レバー    （１５’  半割り形の軸）
１６  角軸
１７  ガイドピン
１８  掛止爪
１９  止めねじ
２０  突出部
２１  切欠部
２２  カバー部材
２３  キー
２４  施錠部
２５  他方の取付け金具
【図１】
0004461314.tif 000002
【図２】
0004461314.tif 000003
【図３】
0004461314.tif 000004